(57)【要約】  本発明は、金融取引を支援するシステムに関する。為替市場で売買するための端末であり、該端末は、キーボードタイプの入力装置を有する対象情報を表示するためのモニタ、金融処理用入金装置の他、遠隔サーバのための通信装置、図形情報をモニタ画面に表示されるインタフェースの領域に表示するための、及び決済取引のための演算装置とを含む。演算装置は、為替市場又は情報機関から受信する相場放送という特徴、及び売買セッション終了の信号によって、プレミアムを、決済者の当座預金口座に振込する、又はプレミアムを決済装置を通じて分配するという特徴を有する。端末は、投資額又は取引額を選択し、該投資額又は取引額に対するリスクを限定的なものにするユニットを有し、演算装置は、更なるオプションとして、取引を計算する特徴、少なくとも１つのレートに関する価格変更を入力する特徴、及び投資額の増減又は少なくとも１つの先物相場で固定投資額を入力する特徴を実装する。【選択図】図１【特許請求の範囲】
【請求項１】
為替市場で売買するための端末であり、
該端末は、キーボードタイプの入力装置を有する対象情報を表示するモニタ、金融処理用入金装置の他、遠隔サーバのための通信装置、図形情報をモニタ画面に表示されるインタフェースの領域に表示するための、及び決済取引のための演算装置とを含む端末であって、
前記演算装置は、為替市場又は情報機関から受信する相場放送という特徴、及び売買セッション終了の信号によって、プレミアムを、決済者の当座預金口座に振込する、又はプレミアムを決済装置を通じて分配するという特徴を有し、
前記端末は、投資額又は取引額を選択し、該投資又は取引額に対するリスクを限定的なものにするユニットを有し、
前記演算装置は、更なるオプションとして、取引を計算する特徴、少なくとも１つのレートに関する価格変更を入力する特徴、及び投資額の増減又は少なくとも１つの先物相場で固定投資額を入力する特徴を実装する、前記端末。
【発明の詳細な説明】
【技術分野】
【０００１】
本発明は、迅速な売買、及び売買の結果得られた物質的報酬の迅速な分配を提供する、金融取引を支援するシステムに関する。
【背景技術】
【０００２】
従来技術は、為替売買システムであり、該システムが含むのは、コンピュータ；コンピュータが受信した買付についての多数の情報セット、該買付についての上記情報セット其々が、第１売買者の売買セッションを説明し、；コンピュータが受信した売買の気配値の配当についての多数の情報セット、該売買の気配値についての上記情報セット其々は、第２売買者の注文による売買について説明し、；事前に設定した売買に関する許容可能なパラメータのセット、及び買付についての情報セットと売買の気配値についての情報セットとを比較し、買付についての情報セットと売買の気配値についての情報セットが、事前に設定した売買に関する許容可能なパラメータのセットの範囲内にあれば、一致と規定する、コンピュータで実行するソフトウェア機能である（ロシア国特許第２，２５９，５８６号（Ｇ０６Ｆ１７／６０）２００５年８月２７日公開）。
【０００３】
このシステムの欠点は、ハードウェアが複雑なだけでなく、売買に参加するために正式に登録した人のみならず、他の人々の売買に遠隔アクセスできないという機能の不十分さである。
【０００４】
従来技術は、為替市場での売買用遠隔通信端末であり、該端末は、モニタ及び押しボタン又はタッチキーボード又はモニタ画面上にキーボードを有するタッチモニタと、決済カードリーダと、入金システムと、対象情報を表示する領域で図形インタフェースを表示する特徴を有するプログラミング及び演算ユニットの形をした、ユーザの口座状態に対する関連制御サーバと遠隔接続する装置と、出金装置とを含む端末であって、プログラミング及び演算ユニットは、取引毎に、現在の気配値、投資額、損益についての情報を特定の領域に表示するために、為替市場及び情報機関のサーバと遠隔接続する更なる特徴を有し、その結果、特定のユニットは、投資額を表示する特徴と共に、キーボードを通じてポイント変更（ｐｏｉｎｔ  ｃｈａｎｇｅ）する価格及び投資額を入力し、プレミアムを決済カード所有者の口座に振込する又は出金装置を通じてプレミアムを出金するという特徴も有する（ロシア国特許第６４４０５、Ｇ０６Ｆ１９／００、２００７年６月２７日公開）。
【０００５】
この解決方法の短所は、かかる端末で売買するのに、ユーザは、正確に投資するために特別な知識を必要とする点である。一定の実期間、以前に受信した結果及び近似値又は相関関係に基づいて可能な投資に関する確率的予測があると、売買の際に、ユーザが成功する確率を高める今後の相場に関する確率的に信頼出来るデータを受信できる。
【０００６】
以下の解決方法は、全ての特許請求対象のプロトタイプとして認められる。
【０００７】
本発明の主題は、簡単に売買するための端末を実装することである。かかる端末は、ゲーム機器として適するもので、ゲームクラブ、カジノ及びクラブタイプの休憩所に設置できる。
【０００８】
端末は、国際外国為替市場の原則に従い、操作される。確実にかかる端末を正常に操作するために、通貨市場の相場に関して、端末上の売買ツールにリアルタイム放送を提供し、クライアントが行う取引に対して利益計算アルゴリズムを実装する必要がある。
【０００９】
相場の情報源としては、「Ｒｅｕｔｅｒｓ」、「Ｂｌｏｏｍｂｅｒｇ」、「Ｔｅｎｆｏｒｅ」といった広く知られている情報源や、インターネットを通じて外国為替市場での売買処理へのアクセスを提供する取引センタがある。
【００１０】
また、端末を通じて行う取引を、取引センタの１つを通じて、実物市場に導入できることで、該端末を、ギャンブル及び投資用機器ではなく、証券取引所取引を行う遠隔端末にすることができる。
【発明の概要】
【発明が解決しようとする課題】
【００１１】
本発明の目的は、投資額の増減又は少なくとも１つの先物相場の固定投資額を自動的に計算するモードを使用して、自動でリスクを抑制するモードに従い、金融取引時に端末操作を便利にすることから成る技術的成果を達成することである。
【課題を解決するための手段】
【００１２】
上記技術的成果を、為替市場での売買用端末において達成するが、該端末は、キーボードタイプの入力装置を有する対象情報を表示するモニタ、金融処理用入金装置の他、遠隔サーバのための通信装置、図形情報をモニタ画面に表示されるインタフェースの領域に表示するための、及び決済取引のための演算装置とを含む端末であって、演算装置は、為替市場又は情報機関から受信する相場放送という特徴、及び売買セッション終了の信号によって、プレミアムを、決済者の当座預金口座に振込する、又はプレミアムを決済装置を通じて分配するという特徴を有し、演算装置は、投資額又は取引額を選択し、該投資又は取引額に対するリスクを限定的なものにするユニットを有し、演算装置は、更なるオプションとして、取引を計算する特徴、少なくとも１つのレートに関する価格変更を入力する特徴、及び投資額の増減又は少なくとも１つの先物相場で固定投資額を入力する特徴を実装する。
【００１３】
明記した特徴は必須であり、要求される技術的成果を享受するのに十分な、確固とした本質的な特徴のセットを開発することと相互に連係している。
【００１４】
本発明について、具体的な事例の実施形態で説明するが、該実施形態は唯一ではなく、明記した技術的成果の達成に関する可能性を示すものである。
【図面の簡単な説明】
【００１５】
【図１】端末のフローチャート
【発明を実施するための形態】
【００１６】
為替売買用遠隔通信端末は、モニタ２及び押しボタン又はタッチキーボード３又はモニタ画面上にキーボード５を有するタッチモニタ４の形をした情報入力及び読込み装置１と、遠隔サーバを有する通信装置６と、モニタ画面で表示され、インタフェースで図形情報表示する特徴、及び決済処理を行う特徴を備える演算ユニット７とを含む。演算装置は、為替市場又は情報機関から相場放送を受信する特徴を有すると共に、売買セッション終了の信号によって、決済者の当座預金口座にプレミアムを振込する、或いは決済装置８を通じてプレミアムを分配する特徴を有する。また、演算装置は、取引を計算する特徴と、少なくとも１つのレートに関する価格変更を入力する特徴と、投資額の増減若しくは少なくとも１つの先物相場で固定投資額を入力する特徴を実装する更なるオプションを有する。
【００１７】
端末は、投資額又は取引額を選択し、該投資額又は取引額に対するリスクを限定するユニット９を有する。
【００１８】
演算ユニットを、一方側で、関連制御サーバ１０又はユーザの口座状態、例えば、決済を行う銀行、売買者の口座がカードを通じて設けられていた場合には（例えば、クレジット及び金融）カードと接続し、他方側で、１１の気配値及び他の為替情報の情報源、例えば−「Ｒｅｕｔｅｒｓ」、「Ｂｌｏｏｍｂｅｒｇ」、「Ｔｅｎｆｏｒｅ」、及びインターネット１２上で外国為替市場に関する売買処理にアクセスを提供する取引センタと接続する。
【００１９】
また、端末は、例えば、直接又はネット経由で、ユーザの口座状態に関する制御サーバ１０に接続する金融及びクレジットカードリーダ１３を含む。
【００２０】
また、端末は、端末設置場所で、投資額を支払え、プレミアムを受取れる、入金装置１４及び出金装置１５も含む。装置１３を、端末ケースに内蔵して、又は端末ケースの外側で離して配置して、プログラミング及び演算ユニットと接続したユニットの形で、実行できる。このユニットは、ユーザの口座に資金を振込するという特徴だけでなく、ユーザの口座から金額を償却（ｗｒｉｔｅ−ｏｆｆ）するという特徴及び／又は該金額を出金するという特徴も有する。こうした構造により、口座振替（ａｃｃｏｕｎｔ  ｃｒｅｄｉｔｉｎｇ）の様々なメカニズムを使用可能となり、且つ近接型ＩＣカード（クレジットカードの原理で機能するが、資金を償却するには、カードを装置に近付ける（１０ｃｍ未満の距離に載置又は近付ける）だけでよい）を使用可能になり、決済も、電話器、電子決済システム、スポンサー機関の口座及びパスワードによって、現金及びカードリーダによって：団体のチケット売場にある端末で、スクラッチカード（固定額面で発行される（５００ルーブルのカードで、コード領域を擦り、コードを装置に入れる）でも可能となる。
【００２１】
装置６は、現在の気配値、投資額、取引毎の損益に関する計算についての情報を、モニタ画面の特定領域に表示するための為替及び情報機関のサーバ（複数可）と遠隔接続するという特徴を有する。また、上記ユニットは、行った投資について表示する特徴と共に、レート（ポイント）変更する価格及び投資額をキーボードを通じて入力し、クレジット及び金融カード所有者の口座にプレミアムを振込する又は出金装置を通じてプレミアムを出金するという特徴を有する。
【００２２】
端末へのアクセスを簡素化し、クライアントの売買口座への金額の振込を簡素化するために、指紋検査及び認証システムを更に備えられる。端末を管理するために、端末に音声検査システムを更に備える。こうした端末の特徴により、ユーザの真偽を検査できる。
【００２３】
セッション中、クライアントは、売買ツール（例えば−通貨ペア）及び該売買ツールに関する少なくとも１つの最小価格変化の額（ｃｏｓｔ）を選択する。次に、予想値と提供される現在の気配値に応じて、クライアントは、売買ツールで売買するための商取引を実行することによって、ポジションを取る。提供される現在の気配値に応じて、端末は、クライアントの利益（損失）額を計算して、発生する現金残高をクライアントに表示する。クライアントは、いつでも、反対の取引を行う（クライアントが売り注文中であれば、買う、或いはその逆）ことで、手じまいできる。
【００２４】
このようにして、１ギャンブルサイクルが終了する。１セッション内のギャンブルサイクル数を、現金残高だけに限定する。選択した売買ツールに関する価格変化で、現金残高がゼロになるようであれば、強制的にギャンブルサイクルを終了できる。
【００２５】
本発明の本質的な利点は、事前のクライアント登録、銀行口座開設、為替センタへの振込といった複雑で長期間かかる手順が必要ない点である。クライアントとの全ての処理及び決済を、その場で端末を通して直接行える。
【００２６】
端末は、本質的に新たなギャンブルツールであり、本システム程単純なギャンブルのシステムは他にないため、正会員を含む新たなクライアントの獲得に貢献するであろう。クライアントの観点からは、端末は、売買ツールの世界相場に基づいて作動するので、魅力的である。そうした相場を、組織（端末を設置した）に都合のよいように相場を操作することが不可能で、詐欺の発生を大幅に減少させる、別の情報源（例えばテレビチャンネルやインターネット刊行物）を通して、簡単にチェックできる。
【００２７】
「．．．という特徴を有するプログラミング及び演算ユニット」の実装については、かかるユニット操作のアルゴリズムが、例えば、オルガ・デグチャレフ（Ｏｌｇａ  Ｄｅｇｔｙａｒｅｖａ）、オルガ・カンディンスカヤ（Ｏｌｇａ  Ｋａｎｄｉｎｓｋａｙａ）著、「証券取引産業：大学教科書（Ｓｔｏｃｋ−ｅｘｃｈａｎｇｅ  ｉｎｄｕｓｔｒｙ：  Ｕｎｉｖｅｒｓｉｔｙ  ｔｅｘｔｂｏｏｋ）」、Ｍ、Ｂａｎｋｓ  ａｎｄ  ｅｘｃｈａｎｇｅｓ、ＵＮＩＴＩ、１９９７年、５０３ページ、ＩＳＢＮ５−８５１７３−０６０−９、第７章「電子為替売買システムの開発（Ｄｅｖｅｌｏｐｍｅｎｔ  ｏｆ  ｅｌｅｃｔｒｏｎｉｃ  ｅｘｃｈａｎｇｅ  ｔｒａｄｉｎｇ  ｓｙｓｔｅｍ）」、セクション７．３「売買用電子アルゴリズム（Ｅｌｅｃｔｒｏｎｉｃ  Ａｌｇｏｒｉｔｈｍｓ  ｆｏｒ  Ｔｒａｄｉｎｇ）」、セクション７．４．２「電子売買処理の図解（例えば、ＡＴＣ／２システムによる）（Ｉｌｌｕｓｔｒａｔｉｏｎ  ｏｆ  Ｅｌｅｃｔｒｏｎｉｃ  Ｔｒａｄｉｎｇ  Ｏｐｅｒａｔｉｏｎ  （ｂｙ  ｔｈｅ  ｅｘａｍｐｌｅ  ｏｆ  ＡＴＣ／２  Ｓｙｓｔｅｍ）」に記載されており、（同セクションの電子版も添付されて）、２００３年公式サイト「オルガ・カンディンスカヤの経済サイト（Ｏｌｇａ  Ｋａｎｄｉｎｓｋａｙａ‘ｓ  Ｅｃｏｎｏｍｉｃ  Ｓｉｔｅ）」オンラインで提示され、以下のリンクで見ることができる：ｈｔｔｐ：／／ｋａｎｄｉｎｓｋａｙａ．ｎａｒｏｄ．ｒｕ／ｄｅｌｏ０７ ｒ．ｈｔｍｌ。
【００２８】
同書には、演算アルゴリズム、インタラクションスキーム、３８６及び４８６シリーズのコンピュータの例によるソフトウェア及びハードウェアの利用を含む、主な電子為替コンポーネントの実装に関する実施例がある。特に、ＡＴＣ／２システムを使用する電子売買処理の実施例については詳細に提供している。同書に記載された、取引アルゴリズムの下で、取引シナリオ、即ち一連の動作及び対象を購入及び売却する条件セットが分かる。そのために、為替取引分野で広く知られてきた現技術水準に関する、「取引毎に、投資を許容する及び損益の計算を行うという特徴を有する演算装置」等の特徴については、本特許明細書では開示していない。
【００２９】
本発明は、電子的及び機械的なゲーム機及びコンピュータ化された遠隔アクセスシステムの製造時に適用される技術を使用して、実装できるので、産業上利用可能である。
【符号の説明】
【００３０】
１      情報入力及び読込み装置    
２      モニタ
３      押しボタン又はタッチキーボード
４      タッチモニタ
５      キーボード
６      通信装置
７      演算ユニット
８      決済装置
９      ユニット
１０    制御サーバ
１１    情報源
１２    インターネット
１３    クレジットカードリーダ
１４    入金装置
１５    出金装置  
【図１】
2014504757.tif 000002
【国際調査報告】
2014504757.tif 000003
2014504757.tif 000004